(57)【要約】      （修正有）【課題】乾燥時間の最適設定、視認性の向上、設定内容の再確認が容易にできること。【解決手段】乾燥時間を入力設定する乾燥時間設定部３４ｃと、運転行程内容および運転行程の進行状況を表示する表示手段３５と、表示手段３５に設けられた乾燥時間兼残り時間表示部３５ｅと、モータ、加熱送風手段、表示手段３５を制御する制御手段２８とを備え、制御手段２８は、運転行程中には全運転行程の残り時間を乾燥時間兼残り時間表示部３５ｅに表示し、乾燥行程移行前であれば、乾燥時間設定部３４ｃを所定時間以上押し続けることにより、設定された乾燥時間を乾燥時間兼残り時間表示部３５ｅに表示することにより、乾燥時間の選択肢を増し、洗濯物の布量、布種に応じて最適時間に設定できるとともに、乾燥時間設定を視認しやすく、また、行程運転中に、乾燥時間の設定を容易に再確認できる。【選択図】図３
2013094204.tif 000002
【特許請求の範囲】
【請求項１】
中央底部に回転翼を回転自在に配した内槽と、筐体内に防振支持され、前記内槽を回転自在に内包する外槽と、前記内槽および前記回転翼を回転駆動するモータと、空気を加熱し前記内槽内に送風する加熱送風手段と、運転行程内容を入力設定する入力設定手段と、前記入力設定手段に設けられ乾燥時間を入力設定する乾燥時間設定部と、前記運転行程内容および運転行程の進行状況を表示する表示手段と、前記表示手段に設けられた乾燥時間兼残り時間表示部と、前記モータ、前記加熱送風手段、前記表示手段を制御する制御手段とを備え、前記制御手段は、運転行程中には全運転行程の残り時間を乾燥時間兼残り時間表示部に表示し、乾燥行程移行前であれば、前記乾燥時間設定部を所定時間以上押し続けることにより、設定された乾燥時間を前記乾燥時間兼残り時間表示部に表示する洗濯乾燥機。
【発明の詳細な説明】
【技術分野】
【０００１】
本発明は、洗い、すすぎ、脱水、乾燥の一連の行程を逐次制御する洗濯乾燥機に関するものである。
【背景技術】
【０００２】
従来、この種の洗濯乾燥機は、乾燥行程において、乾燥時間をいくつかの段階から選択して設定し、その設定時間を表示する方式が提案されてきた（例えば、特許文献１参照）。
【０００３】
図９は、特許文献１に記載された従来の洗濯乾燥機の縦断面図で、図１０、図１１は、同洗濯乾燥機の操作表示部の表示例を示す図である。
【０００４】
図９において、筐体１は、内部に複数のサスペンション２によって弾性的に吊り下げた外槽３を設け、脱水時の振動をサスペンション２によって吸収する構成としている。外槽３の内部には、衣類（洗濯物や乾燥対象物）を収容する内槽４を、中空で２重構造とした洗濯・脱水軸５を中心に回転自在に配設し、内槽４の内底部に衣類を撹拌する回転翼６を回転自在に配設している。
【０００５】
内槽４の内部周壁には小孔４ａを多数設けるとともに、上方には流体バランサ７を設けている。回転翼６は、外周部に傾斜面８を有する略皿状の基盤の上面に撹拌用突出部９を形成することにより、乾燥行程においては、乾燥対象物を回転翼６の回転による遠心力で傾斜面８に沿って上方へと舞い上がりやすくしている。
【０００６】
モータ１０は、外槽３の外底部に取り付け、洗濯、脱水、乾燥時に回転力の伝達を洗濯・脱水軸５に切り換えるクラッチ１１と洗濯・脱水軸５を介して、内槽４および回転翼６に連結している。
【０００７】
筐体１上部に設けた乾燥用送風機１２は、一端が外気と連通して、他端を加熱手段であるヒータ１３を有する温風供給路１４に接続し、伸縮自在の上部蛇腹状ホース１５を通って内槽４へ連通し、乾燥用送風機１２とヒータ１３とで加熱送風手段４１を構成している。
【０００８】
外槽３には、外槽３の上面を気密的に覆う外槽カバー１６を設けており、この外槽カバー１６に上部蛇腹状ホース１５からの温風噴出孔４０を開口している。また、この外槽カバー１６に中蓋１７を開閉自在に設け、衣類を出し入れするようにしている。
【０００９】
中蓋１７には、外槽３及び内槽４内外と連通する複数の排気口１８を設けて、内槽４内の湿熱風を外槽３外に排気させる構成となっている。
【００１０】
筐体カバー１９は、筐体１の上部を覆うもので、略中央部に開閉蓋２０を開閉自在に有し、前部に操作表示部２１を設けるとともに、内槽４に給水する給水弁２２を設けている。また、外槽３の底部には、外槽３内の水を排水する排水弁２３を設けている。
【００１１】
制御装置２４は、モータ１０、クラッチ１１、乾燥用送風機１２、ヒータ１３、給水弁２２、排水弁２３などの動作を制御し、洗い、すすぎ、脱水、乾燥の一連の行程を逐次制御する。
【００１２】
図１０、図１１において、操作表示部２１は、水量設定部２５ａ、洗濯行程設定部２５ｂ、乾燥時間設定部２５ｃ、コース設定部２５ｄ、運転開始部２５ｅなどの入力設定手段２５と、水量表示部２６ａ、洗濯行程表示部２６ｂ、乾燥時間表示部２６ｃ、コース設定部２６ｄ、残り時間表示部２６ｅなどの表示手段２６とで構成している。
【００１３】
ここで、使用者が乾燥時間を入力設定する場合は、図１０の例のように、０．５時間、１時間、２時間、４時間の４段階から選択するか、図１１の例のように、その４つの時間の組み合わせ、例えば、０．５時間と１時間を組み合わせて、１．５時間に設定することができる。
【００１４】
上記構成において、衣類の洗濯、乾燥運転の動作を説明する。
【００１５】
操作表示部２１において、洗濯物の布量、布種により運転コース、水量、行程、乾燥時間を設定し、開閉蓋２０と中蓋１７を開けて、内槽４に衣類（洗濯物）と洗剤を投入し運転を開始すると、洗い行程では、給水弁２２を開いて所定の水位まで給水した後、モータ１０を駆動する。このとき、伝達機構部のクラッチ１１によりモータ１０の動力を、洗濯軸を介して回転翼６に伝達し、回転翼６が回転することで、回転翼６の撹拌用突出部９により衣類を撹拌し、洗濯物同士、または内槽４の内壁や回転翼６との接触により作用する機械力と、水流力により、洗いが行われる。
【００１６】
すすぎ行程では、洗い終了後、排水弁２３を開いて内槽４内の水を排水した後、伝達機構部のクラッチ１１を脱水側に切り換えて、モータ１０の動力を、脱水軸を介し内槽４に伝達して回転させ、衣類に遠心力を与える中間脱水により、洗剤成分を衣類から分離させ、さらに排水弁２３を閉じて、再度、給水弁２２を開いて所定の水位まで給水した後、モータ１０を駆動する。このとき、伝達機構部のクラッチ１１によりモータ１０の動力を、洗濯軸を介して回転翼６に伝達し、回転翼６が回転することで、回転翼６の撹拌用突出部９により、脱水後に内槽４の内壁に張り付いた衣類を引き剥がすとともに、衣類を撹拌し、洗濯物同士、または内槽４の内壁や回転翼６との接触により作用する機械力と、水流力により、衣類に残留している洗剤成分を除去するすすぎが行われる。
【００１７】
脱水行程では、すすぎ終了後、排水弁２３を開いて内槽４内の水を排水した後、伝達機構部のクラッチ１１を脱水側に切り換えて、モータ１０の動力を、脱水軸を介し内槽４に伝達して回転させ、衣類に遠心力を与えることにより、すすぎ行程時の中間脱水時間より時間延長させて水分を衣類から分離することで行う。脱水行程が終了すると、引きつづいて乾燥行程に移行する。
【００１８】
乾燥行程に入ると、クラッチ１１を洗濯側に切り換えて、モータ１０を駆動して動力を回転翼６に伝達し、回転翼６を急速に正転、反転することで、脱水後に内槽４の内壁に張り付いた衣類を引き剥がす。
【００１９】
つぎに、排水弁２３を閉じて回転翼６を正転、反転させて撹拌用突出部９で衣類を引っかけて撹拌しながら、乾燥用送風機１２とヒータ１３とで構成した加熱送風手段４１により、温風を、上部蛇腹状ホース１５を通って温風噴出孔４０に送る。温風噴出孔４０より内槽４に吹き込まれた温風は、衣類に当り衣類から水分を蒸発させるとともに、内槽４から外槽３の内側へ出た後、中蓋１７に設けた排気口１８を通過して、外槽３外へ排出される。
【００２０】
衣類の水分を奪って湿気を含んだ温風が、外槽３外へ排出されると同時に、湿気のない温風が連続して温風噴出孔４０から内槽４内に供給されることにより、内槽４内の衣類を乾燥させることができる。
【先行技術文献】
【特許文献】
【００２１】
【特許文献１】特開２００３−６２３８５号公報
【発明の概要】
【発明が解決しようとする課題】
【００２２】
しかしながら、前記従来の構成では、使用者が乾燥時間を入力設定する場合、選択肢が少ないために、洗濯物に、含水し難い化繊系衣類が多い場合、あるいは含水し易いタオル系衣類が多い場合は、少ない選択肢から設定した乾燥時間の範囲内では、布種によっては過乾燥となって仕上がり時シワが多くなったり、あるいは未乾燥のまま行程が終了したりするという課題があった。
【００２３】
また、点灯した時間表示、例えば０．５時間と１時間を組み合わせて乾燥時間１．５時間に設定することで、乾燥時間設定の選択肢は増すが、設定操作方法は煩雑で乾燥時間が視認しにくくなるという課題があった。
【００２４】
本発明は、前記従来の課題を解決するもので、乾燥時間の選択肢を増し、洗濯物の布量、布種に応じて最適時間に設定できるとともに、乾燥時間設定を視認しやすく、また、行程運転中に、乾燥時間の設定を容易に再確認できるという洗濯乾燥機を提供することを目的としている。
【課題を解決するための手段】
【００２５】
前記従来の課題を解決するために、本発明の洗濯機は、中央底部に回転翼を回転自在に配した内槽と、筐体内に防振支持され、前記内槽を回転自在に内包する外槽と、前記内槽および前記回転翼を回転駆動するモータと、空気を加熱し前記内槽内に送風する加熱送風手段と、運転行程内容を入力設定する入力設定手段と、前記入力設定手段に設けられ乾燥時間を入力設定する乾燥時間設定部と、前記運転行程内容および運転行程の進行状況を表示する表示手段と、前記表示手段に設けられた乾燥時間兼残り時間表示部と、前記モータ、前記加熱送風手段、前記表示手段を制御する制御手段とを備え、前記制御手段は、運転行程中には全運転行程の残り時間を乾燥時間兼残り時間表示部に表示し、乾燥行程移行前であれば、前記乾燥時間設定部を所定時間以上押し続けることにより、設定された乾燥時間を前記乾燥時間兼残り時間表示部に表示する構成としたものである。
【００２６】
これによって、乾燥時間の選択肢を増し、洗濯物の布量、布種に応じて最適時間に設定できるとともに、乾燥時間設定を視認しやすく、また、行程運転中に、乾燥時間の設定を容易に再確認できる。
【発明の効果】
【００２７】
本発明の洗濯乾燥機は、乾燥時間設定の選択肢を増しつつ、かつ、視認しやすく、また、行程運転中に、乾燥時間の設定を容易に再確認することができるので、高齢者などの使用者に優しい洗濯乾燥機を実現することができる。
【図面の簡単な説明】
【００２８】
【図１】本発明の実施の形態における洗濯乾燥機の縦断面図
【図２】同洗濯乾燥機のブロック回路図
【図３】同洗濯乾燥機の操作表示部の表示例を示す図
【図４】同洗濯乾燥機の操作表示部の他の表示例を示す図
【図５】同洗濯乾燥機の操作表示部の他の表示例を示す図
【図６】同洗濯乾燥機の操作表示部の他の表示例を示す図
【図７】同洗濯乾燥機の操作表示部の他の表示例を示す図
【図８】同洗濯乾燥機の操作表示部の他の表示例を示す図
【図９】従来の洗濯乾燥機の縦断面図
【図１０】同従来の洗濯乾燥機の操作表示部の表示例を示す図
【図１１】同従来の洗濯乾燥機の操作表示部の他の表示例を示す図
【発明を実施するための形態】
【００２９】
第１の発明は、中央底部に回転翼を回転自在に配した内槽と、筐体内に防振支持され、前記内槽を回転自在に内包する外槽と、前記内槽および前記回転翼を回転駆動するモータと、空気を加熱し前記内槽内に送風する加熱送風手段と、運転行程内容を入力設定する入力設定手段と、前記入力設定手段に設けられ乾燥時間を入力設定する乾燥時間設定部と、前記運転行程内容および運転行程の進行状況を表示する表示手段と、前記表示手段に設けられた乾燥時間兼残り時間表示部と、前記モータ、前記加熱送風手段、前記表示手段を制御する制御手段とを備え、前記制御手段は、運転行程中には全運転行程の残り時間を乾燥時間兼残り時間表示部に表示し、乾燥行程移行前であれば、前記乾燥時間設定部を所定時間以上押し続けることにより、設定された乾燥時間を前記乾燥時間兼残り時間表示部に表示するようにしたことにより、乾燥時間の選択肢を増し、洗濯物の布量、布種に応じて最適時間に設定できるとともに、乾燥時間設定を視認しやすく、また、行程運転中に、乾燥時間の設定を容易に再確認できる。
【００３０】
以下、本発明の実施の形態について、図面を参照しながら説明する。なお、従来例と同じ構成のものは同一符号を付して説明を省略する。また、この実施の形態によって本発明が限定されるものではない。
【００３１】
（実施の形態１）
図１は、本発明の実施の形態における洗濯乾燥機の縦断面図、図２は、同洗濯乾燥機のブロック回路図、図３〜図８は、同洗濯乾燥機の操作表示部の表示例を示す図である。
【００３２】
図１、図２において、制御装置２７は、マイクロコンピュータで構成した制御手段２８と、双方向性サイリスタ、リレーなどで構成した負荷駆動手段２９を有し、制御手段２８は、外槽３内の水位を検知する水位検知手段３０と、乾燥用送風機１２近傍に設けられたサーミスタ３１からなる温度検知手段３２の出力を入力し、入力設定手段３４により設定された設定内容に基づいて、表示手段３５に設定内容を表示するとともに、負荷駆動手段２９を介して、モータ１０、クラッチ１１、乾燥用送風機１２、ヒータ１３、給水弁２２、排水弁２３などの動作を制御し、洗い、すすぎ、脱水の洗濯行程と乾燥行程の一連の行程を逐次制御する。
【００３３】
図３に示す操作表示部３３は、筐体１前部に設けられ、水量設定部３４ａ、洗濯行程設定部３４ｂ、乾燥時間設定部３４ｃ、コース設定部３４ｄ、運転開始部３４ｅなどの入力設定手段３４と、水量表示部３５ａ、洗濯行程表示部３５ｂ、乾燥行程表示部３５ｃ、コース表示部３５ｄ、乾燥時間兼残り時間表示部３５ｅなどの表示手段３５とで構成している。
【００３４】
また、乾燥時間兼残り時間表示部３５ｅは、例えば、残り表示部３６ａ、時間表示部３６ｂ、分表示部３６ｃ、２桁の７セグメント表示部３６ｄ等で構成し、運転中の進行状況に応じて、乾燥設定時間、残り時間（時間または分単位）を随時表示している。
【００３５】
以上のように構成された洗濯乾燥機について、以下、その動作、作用を説明する。なお、従来例と同一符号の構成の動作、作用については、従来例と同じであり説明を省略する。
【００３６】
図３〜図８において、開閉蓋２０と中蓋１７を開けて、内槽４に衣類（洗濯物）を投入した後、洗濯物の布量、布種により操作表示部３３において、コース設定部３４ｄを押す毎に、コース表示部３５ｄの各コース表示が、順送りに「標準」→「スピーディ」→「手洗い」→「毛布」→元の「標準」に戻り、各コースが点灯することで運転コースを設定し、水量設定部３４ａを押す毎に、水量表示部３５ａの各水量表示が、順送りに「５２Ｌ」→「４４Ｌ」→「３９Ｌ」→「３２Ｌ」→「２０Ｌ」→元の「５２Ｌ」に戻り、各水量表示が点灯することで水量を設定し、洗濯行程は、洗濯行程設定部３４ｂを押さなければ、洗濯行程表示部３５ｂが「洗い・すすぎ・脱水」を点灯させて実行し、洗濯行程表示部３５ｂを押す毎に洗濯行程表示部３５ｂが「洗い」のみ→「脱水」のみ→「洗い・すすぎ」→「洗い・脱水」→「すすぎ・脱水」→元の「洗い・すすぎ・脱水」に戻り、各行程が点灯することで選んだ洗濯行程を設定する。
【００３７】
また、乾燥時間は、乾燥時間設定部３４ｃを１回押すと、図３の表示例のように、乾燥行程表示部３５ｃが点灯しつつ、乾燥時間兼残り時間表示部３５ｅの時間表示部３６ｂが点灯し、さらに７セグメント表示部３６ｄが、「０．５」を表示する。
【００３８】
続けて乾燥時間設定部３４ｃを押す毎に、図４の「１」表示から、「１．５」→「２」→「２．５」と表示が変わっていき、図５の「３」表示から「６」まで０．５刻みで表示が順次変わっていき、乾燥時間を１２段階に設定できることにより、使用者は、洗濯物の布量、布種に応じて最適な乾燥時間を選択することができる。そして、「６」の次は、乾燥行程表示部３５ｃが消灯になり、乾燥行程が実行されない洗濯コース運転に戻る。
【００３９】
また、例えば、図５に示すように「標準」コース、水量「４４Ｌ」、洗濯行程「洗い・すすぎ・脱水」、および乾燥「３」時間に設定して、運転開始部３４ｅを押し運転を開始すると、図６に示すように、残り表示部３６ａが点灯し、７セグメント表示部３６ｄは、洗濯時間と乾燥時間を加算した「３．７」の表示に変わり、運転の進行に応じて表示時間が減っていく。
【００４０】
また、行程運転中において、洗濯行程終了前、つまり乾燥行程移行前であれば、運転中に乾燥時間設定部３４ｃを０．５秒以上押し続けると、押し続けている間は、図７に示すように、乾燥行程表示部３５ｃおよび時間表示部３６ｂは点灯したままで、７セグメント表示部３６ｄが設定した「３」の表示に変わり、運転中でも設定した乾燥時間を容易に再確認できる。乾燥時間設定部３４ｃを押し続けることをやめると、元の図６に示す表示状態に復帰する。
【００４１】
また、図８に示すように、運転が進行していくと終了した行程は、「洗い」→「すすぎ」→・・・の順に消灯し、運転途中で進行状況が視認できる。同時に、７セグメント表示部３６ｄは、時間表示部３６ｂ点灯時は「１．６」まで０．１刻みで時間がカウントダウンし、以降は、時間表示部３６ｂが消灯して、分表示部３６ｃが点灯し、７セグメント表示部３６ｄは１．５時間を分で表す「９０」表示から１刻みで運転終了まで分がカウントダウンする。
【００４２】
以上のように、乾燥時間設定部への入力により、乾燥時間を少なくとも５段階以上の複数段階に設定可能であり、制御手段は、入力設定手段にて設定された乾燥時間を、乾燥時間兼残り時間表示部の２桁の７セグメント表示部などに表示するとともに、行程運転中において、乾燥行程移行前であれば、乾燥時間設定部を所定時間以上押し続けることにより、乾燥時間設定内容を乾燥時間兼残り時間表示部の７セグメント表示部などに表示することにより、乾燥時間の選択肢を増し、洗濯物の布量、布種に応じて最適時間に設定できるとともに、乾燥時間設定を視認しやすく、また、行程運転中に、乾燥時間の設定を容易に
再確認できる。
【００４３】
なお、本実施の形態では、乾燥時間を設定時に０．５刻みで０．５時間〜６時間まで１２段設定可能にしたが、設定時間上限を６時間以上に予め設定可能にすると、使用者の乾燥時間の設定の選択肢が増大し、さらなるきめ細かい最適な設定をすることができる。
【産業上の利用可能性】
【００４４】
以上のように、本発明にかかる洗濯乾燥機は、乾燥時間を複数段階に設定可能にし、その内容の視認性を向上させ、行程運転中に、その設定内容を再確認することが可能となるので、乾燥機能を有する他の洗濯乾燥機等の用途に適用できる。
【符号の説明】
【００４５】
１  筐体
３  外槽
４  内槽
１０  モータ
１６  外槽カバー
１８  排気口
２８  制御手段
３４  入力設定手段
３４ｃ  乾燥時間設定部
３５  表示手段
３５ｅ  乾燥時間兼残り時間表示部
３６ｄ  ７セグメント表示部
４１  加熱送風手段
【図１】
2013094204.tif 000003
【図２】
2013094204.tif 000004
【図３】
2013094204.tif 000005
【図４】
2013094204.tif 000006
【図５】
2013094204.tif 000007
【図６】
2013094204.tif 000008
【図７】
2013094204.tif 000009
【図８】
2013094204.tif 000010
【図９】
2013094204.tif 000011
【図１０】
2013094204.tif 000012
【図１１】
2013094204.tif 000013